(57)【特許請求の範囲】
【請求項１】
略同一面上で渦巻き形状のスパイラル状ガラス管の外周の端部に、一対の口金を有する蛍光灯と、器具本体に設けられ蛍光灯の前記一対の口金の各々に電気的、及び機械的に接続する一対のソケットとを備えた照明器具において、
前記ソケットは、前記口金との接続位置から前記蛍光灯軸線方向、及び前記略同一面上で前記蛍光灯軸線方向に対して直交する方向である直交方向へ可動であり、かつ、前記器具本体に対向する方向へ可動であるように前記器具本体に設けられており、
前記ソケットは、前記直交方向であって、前記一対の口金間の距離が縮小される方向、ならびに拡大される方向の各々の方向に可動であり、かつ、その可動範囲は、基準位置から、前記蛍光灯の製造時の誤差範囲もしくはワット数の変更による前記口金位置の変動範囲を少なくとも含む範囲であり、
前記ソケットの基部の内面と前記器具本体に固定されている固定部の外面との間において、断面形状でみて前記固定部の両側の前記外面を挟む形態で弾性部材が配置され、前記ソケットを可動状態に保持していることを特徴とする照明器具。
【発明の詳細な説明】
【技術分野】
【０００１】
本発明は、蛍光灯を用いた照明装置に関するものである。
【背景技術】
【０００２】
従来、図４に示すように、一連の放電路が略同一面上で二重渦巻状のスパイラル状ガラス管で構成された発光管２０１を備える蛍光灯２００が提案されている。
この蛍光灯２００は両口金タイプであり、二重渦巻形状の両端部には一対の口金２０３がそれぞれ備えられている。このような構成の蛍光灯２００は発光管２０１の管径程度の厚みであり、照明具としては薄い設計を提供することができ、略面発光でもあるので、デザイン上でも、スペース効率的にも、多くの場面に採用可能である（例えば特許文献１参照）。
【０００３】
【特許文献１】特開２００６−１２４８３号公報
【発明の開示】
【発明が解決しようとする課題】
【０００４】
ところで、一般に、蛍光灯はワット数が大きくなるほど、大きさも大きくなり、直管型や円形ではワット数に応じて長さや径の規格がある。図４で示したスパイラル型の照明装置においても、ワット数によって一対の口金２０３の位置が変更されることとなる。また、蛍光灯の製造上の個体差によっても口金２０３の位置は変わってしまう。この場合には、方向性はなく、あらゆる方向への変位があり、作業性に問題が発生する。更に、蛍光灯の発光管などに部分的な負荷が掛かる可能性が増大し、安全性にも問題が発生する。
例えば、位置ズレが大きいにも拘わらず、蛍光灯を照明器具本体に無理に取り付けた場合、口金位置の違いにより、蛍光灯が破損する可能性があり、また、異なるワット数での出力制御となってしまう場合には、過剰電流が流れて、蛍光灯の著しい寿命低下などの問題がある。
【０００５】
本発明は、従来の問題を解決するためになされたもので、スパイラル状ガラス管で構成された発光管を有する照明装置において、蛍光灯の製造時ばらつきやワット数変更などでの口金位置移動に対して、効率的かつ安全に対応できる照明装置を提供することを目的とする。
【課題を解決するための手段】
【０００６】
本発明の照明装置は、略同一面上で渦巻き形状のスパイラル状ガラス管の外周の端部に、一対の口金を有する蛍光灯と、器具本体に設けられ蛍光灯の前記一対の口金の各々に電気的、及び機械的に接続する一対のソケットとを備えた照明器具において、前記ソケットは、前記口金との接続位置から前記蛍光灯軸線方向、及び前記略同一面上で前記蛍光灯軸線方向に対して直交する方向である直交方向へ可動であり、かつ、前記器具本体に対向する方向へ可動であるように前記器具本体に設けられており、前記ソケットは、前記直交方向であって、前記一対の口金間の距離が縮小される方向、ならびに拡大される方向の各々の方向に可動であり、かつ、その可動範囲は、基準位置から、前記蛍光灯の製造時の誤差範囲もしくはワット数の変更による前記口金位置の変動範囲を少なくとも含む範囲であり、前記ソケットの基部の内面と前記器具本体に固定されている固定部の外面との間において、断面形状でみて前記固定部の両側の前記外面を挟む形態で弾性部材が配置され、前記ソケットを可動状態に保持している構成を有している。
【０００７】
この構成により、ソケットは、口金との接続位置から蛍光灯軸線方向、及び直行方向へ
可動な状態となるので、ワット数の変更や個体差等によるソケットと口金との位置ズレを
ソケットが可動であることで吸収し、蛍光灯の破損も抑制でき、作業性よくかつ安全に蛍
光灯の取付けを実施することができる。
また、この構成により、ソケットが器具本体に対向する方向へ可動であることで、全ての方向に対して可動となり、ワット数の変更や個体差等によるソケットと口金との位置ズレ以外にも、全ての位置ズレに対してソケットの可動により対応でき、蛍光灯の破損も抑制でき、より作業性よくかつ安全に蛍光灯の取付け・取り扱いを実施することができる。
また、この構成により、ソケットと器具本体との間の弾性部材が、ワット数の変更や個体差等によるソケットと口金との位置ズレなど、全ての位置ズレを吸収する。従って、蛍光灯の破損も抑制でき、より作業性よくかつ安全に蛍光灯の取付け・取り扱いを実施することができる。
【発明の効果】
【００１２】
本発明は、照明装置のソケットが、口金との接続位置から蛍光灯軸線方向、及び直行方向へ可動に器具本体に設けられている構成とされ、更には、この可動構成の具体的構成を弾性部材としたので、ワット数の変更や個体差等によるソケットと口金との位置ズレなど、全ての位置ズレを吸収することができる。従って、蛍光灯の破損も抑制でき、より作業性よくかつ安全に蛍光灯の取付け・取り扱いを実施することができるという効果を有する照明装置を提供することができるものである。
【発明を実施するための最良の形態】
【００１３】
以下、本発明の実施形態の照明装置について、図面を用いて説明する。
図１は本発明に係る実施形態の照明装置を示す分解斜視図、図２は図１の照明装置の蛍光灯がない状態でのＡ−Ａ線の断面図、図３（ａ）（ｂ）はそれぞれソケットの保持構造の形態を示す部分断面図である。
なお、各図においては、説明の便宜上、照射面を上向きにした状態を示して、説明する。従って、吊下げて照明装置１００を用いる場合には、上下の位置関係が反対となる。
【００１４】
図１に示すように、本発明に係る実施形態の照明装置１００は、略円形薄箱状をなす本体３と蛍光灯５と透明カバー７から構成されている。これらが組み上げられることで照明装置１００となる。
蛍光灯５は、一連の放電路であり略同一面上で二重渦巻形状のスパイラル状発光管２１と、スパイラル状発光管２１の両端部に配置された一対の口金２３と、両方の口金２３もしくはその近傍の発光管２１部分を繋ぐように保持固定して発光管２１の破損を抑制するブリッジ２５とからなる。
【００１５】
ブリッジ２５は発光管２１必須の構成ではないが、これにより、口金１１の配置を安定させるとともに、蛍光灯５の強度を向上させることができる。また、ブリッジ２５上で、口金１１と近接する発光管２１との間、あるいは近接する発光管２１同士の間には、充填剤を設けるのが望ましい。これにより、発光管２１の強度を増すとともに、発熱するランプ口金１１の放熱を図ることができる。
【００１６】
本体３の内部には、蛍光灯５を保持し、白色塗装されて反射板を兼ねえた平板形状のベース１５が備えられている。このベース１５には、蛍光灯５の一対の口金２３と電気的に接続する一対のソケット１１と、ブリッジ２５を支持して蛍光灯５をベース１５に固定する一対の蛍光灯支持ばね１３が備えられる。蛍光灯５に対してベース１５の裏側には、図２で示しているように、蛍光灯５に電力を供給する点灯装置２７とランプ線２８とを配線する空間が備えられている。
また、透明カバー７は、例えばポリカーボネイト樹脂製で、透光性を有しており、その縁部には引っ掛け爪９が本体３方向を向いて備えられ、この引っ掛け爪９がベース１５に備えられている係合穴１８に係合されて、透明カバー７が本体３に着脱可能に固定される。
【００１７】
次に、図２を参照して、位置ズレへの対応について説明する。
図２の照明装置２００は本体３に蛍光灯５が取り付けられていない状態の図１でのＡ−Ａ線断面図であり、ベース１５上の蛍光灯５配置側でソケット１１の位置は、例えば２０Ｗの蛍光灯の口金２３が取り付けられる位置Ｘ（実線及び一点鎖線により図示）となっている。ソケット１１はベース１５に固定ビス２９により固定支持される。図示していないが蛍光灯支持ばね１３の位置もソケット１１の位置に準ずることとなる。
なお、投光側である透明カバー７は図２では上方となっている。また、ソケット１１に対してベース１５の裏側には、本体３に内蔵される状態で点灯装置２７がランプ線２８と共に備えられている。
【００１８】
ソケット１１には、後述する構成例のように、固定位置Ｘに対して可動とする機構が備えられ、位置Ｙ（点線により図示）の範囲まで可動となっている。そして、蛍光灯５の口金２３に製造誤差がある場合、もしくは、ワット数の変更による口金位置の移動などがある場合、位置Ｘから位置Ｙの範囲内で調整され、蛍光灯５に無理な応力がかからないようになっている。つまり、蛍光灯５の取り付け時には、口金２３に対してソケット１１を移動して位置調整が可能であり、良好な作業性も提供することができる。
位置Ｙの範囲は、ソケット１１の可動機構の構成に従うが、要求される範囲としては、蛍光灯製造時の誤差範囲、もしくは、ワット数の変更による口金位置の変動範囲を少なくとも含むことが好ましい。
【００１９】
このようにワット数の異なる複数サイズの蛍光灯５を使用可能とする器具本体３、つまり、同一構成の本体３を使用して、複数ワット数の蛍光灯に対応させることが可能となる。
なお、本体３の形状としては、図１，２では蛍光灯の形状に対応して円筒形状としているが、これに限定されるものではなく、楕円型、多角形型など、蛍光灯の形状に対応していなくてもよい。
【００２０】
更に、蛍光灯５のワット数によって蛍光灯５の寸法が特定される規格である場合に、ソケット１１位置も同時に決まるので、このソケット１１位置に従うことで蛍光灯５のワット数を特定することができ、点灯装置２７において、ソケット１１の移動設置後の位置に応じて蛍光灯のワット数に対応する出力制御を実施することができる。従って、蛍光灯に過剰に電流が流れることを防止することができる。
【００２１】
そして、点灯制御装置としては、マルチインバーターを利用することで、一台のインバーターによりワット数の異なる蛍光灯での出力制御に対応することができる。つまり、蛍光灯５に対してベース１５の裏側に備えられた点灯装置２７は複数ワット数に対応できるマルチインバーターを使用することができる。この場合、ソケット１１の位置によりワット数を特定し、点灯装置２７であるマルチインバーターの出力制御を特定したワット数に従って制御するためのソケット位置設定手段を備えている。このソケット位置設定手段は、マルチインバーターに備えられ、組み立て工程において、設定したワット数を人の手により設定することができる。
【００２２】
次に、図３を参照して、ソケット１１の可動構成を説明する。
図３（ａ）は照明装置１００内のソケット１１の部分断面を示している。
ソケット１１は前述のように、固定ビス２９によってベース１５に固定されている。この時、固定ビス２９はソケット１１の基部１１ａ内に配置された固定部１１ｂをベース１５に固定する構成である。そして、この基部１１ａ内には可動ばね１１ｃが基部１１ａの内面と固定部１１ｂの外面との間に配置され、ソケット１１を可動状態に保持している。
【００２３】
前述のように、蛍光灯５の口金２３に製造誤差がある場合、もしくは、ワット数の変更による口金位置の移動などがある場合、口金２３の位置に合わせてソケット１１が移動される。この時、固定部１１ｂは固定ビス２９によりベース１５上の同じ位置に留まり、可動ばね１１ｃの働きで、基部１１ａから上のソケット１１のみが移動され、位置Ｘから位置Ｙの範囲内でズレ調整され、口金２３がソケット１１に接続される。
【００２４】
このように、可動ばね１１ｃにより位置ズレを吸収しながら接続することで、蛍光灯５に無理な応力がかからないようになっている。つまり、蛍光灯５の取り付け時には、口金２３に対してソケット１１を移動して位置調整が可能であり、良好な作業性も提供することができる。
更に、この位置ズレ調整の機能は、蛍光灯５の本体３への取り付け後も有効に働く。つまり。対となっている口金２３には互いに蛍光灯５の応力に起因する作用・反作用があり、この作用・反作用を可動ばね１１ｃが吸収・調整することで、蛍光灯５を応力バランスの取れた中心位置に位置させることができ、蛍光灯の取り付け後も安定した状態を保つことができる。
【００２５】
なお、このような位置ズレ調整時に、点灯装置２７とソケット１１との間にソケットと共に移動する位置検出ロッドや電気的な位置検出手段を備えることで、点灯装置２７内の切り換えを実施し、対応するワット数による出力制御を実施することもできる。
【００２６】
図３（ｂ）は、ソケット１１の可動構成の他の実施形態であり、図３（ａ）の可動ばね１１ｃを可動ゴム１１ｇに替えた構成である。作用的には可動ばね１１ｃとほぼ同じであるが、振動吸収機能が高いので、蛍光灯設置後の安定性をより向上させることができる。
【００２７】
なお、ソケット１１の可動構成としては、可動ばね１１ｃをなくして、固定ビス２９がベース１５上をスライドできる構成とするなどのしてもよい。
【産業上の利用可能性】
【００２８】
以上のように、本発明にかかる照明装置は、口金との接続位置から蛍光灯軸線方向、及び直行方向へ可動に器具本体に設けられている構成とされ、更には、この可動構成の具体的構成を弾性部材としたので、ワット数の変更や個体差等によるソケットと口金との位置ズレなど、全ての位置ズレを吸収することができる。従って、蛍光灯の破損も抑制でき、より作業性よくかつ安全に蛍光灯の取付け・取り扱いを実施することができるという照明装置として有用となる。
【図面の簡単な説明】
【００２９】
【図１】本発明に係る実施形態の照明装置を示す分解斜視図である。
【図２】照明装置の蛍光灯がない状態でのＡ−Ａ線の断面図である。
【図３】（ａ）（ｂ）はそれぞれソケットの保持構造の形態を示す部分断面図である。
【図４】（Ａ）は従来の照明装置を示す平面図、（Ｂ）は従来の照明装置を示す側面図である。
【符号の説明】
【００３０】
１００  照明器具
３  本体
５  蛍光灯
７  透明カバー
１１  ソケット
１１ａ  基部
１１ｂ  固定部
１１ｃ  可動ばね
１１ｇ  可動ゴム
１３  蛍光灯支持ばね
１５  ベース
２１  発光管
２３  口金
２５  ブリッジ
２７  点灯装置
２９  固定ビス
【図１】
0005025005.tif 000002
【図２】
0005025005.tif 000003
【図３】
0005025005.tif 000004
【図４】
0005025005.tif 000005